(57)【要約】【課題】本発明は、複合紙容器について可燃ゴミとして焼却処分することなく、資源物として回収を可能とする複合紙容器のリサイクル方法及びそのリサイクルシステム、並びに複合紙容器のリサイクル方法により得られた紙繊維を活用したパルプ土壌、天然芝ブロック、保温保冷剤を提供することを課題とする。【解決手段】使用済み複合紙容器を回収する段階と、該複合紙容器を粗破砕し洗浄する段階と、粗破砕した複合紙容器に水を加えて解繊し紙繊維とフィルムとに分離する段階と、解繊して得た該紙繊維と該フィルムとをそれぞれ分別して回収する段階とを含む複合紙容器のリサイクル方法及びそのリサイクルシステム。【選択図】  なし【特許請求の範囲】
【請求項１】
使用済み複合紙容器を回収する段階と、該複合紙容器を粗破砕し洗浄する段階と、粗破砕した複合紙容器に水を加えて解繊し紙繊維とフィルムとに分離する段階と、解繊して得た該紙繊維と該フィルムとをそれぞれ分別して回収する段階とを含む複合紙容器のリサイクル方法。
【請求項２】
複合紙容器１００に対して５０以上８０未満の重量比で水を加えて解繊することを特徴とする請求項１に記載の複合紙容器のリサイクル方法。
【請求項３】
上記フィルムは、樹脂フィルム及び金属フィルムを含み、上記紙繊維は古紙パルプ資源として、該樹脂フィルムは化石資源として、及び該金属フィルムは金属資源としてそれぞれ再利用することを特徴とする請求項１又は２に記載の複合紙容器のリサイクル方法。
【請求項４】
使用済み複合紙容器を回収する手段と、複合紙容器を粗破砕し洗浄する手段と、粗破砕した複合紙容器と複合紙容器１００に対して５０以上８０未満の重量比の水とを投入し、粗破砕した複合紙容器からフィルムを分離する解繊機と、解繊して得た紙繊維と該フィルムとを分別する分別機と、分別して得た該紙繊維と該フィルムをそれぞれ回収し管理する手段とを備えた複合紙容器のリサイクルシステム。
【請求項５】
上記フィルムは、樹脂フィルム及び金属フィルムを含み、上記紙繊維は古紙パルプ資源として、該樹脂フィルムは化石資源として、及び該金属フィルムは金属資源としてそれぞれ再利用することを特徴とする請求項４に記載の複合紙容器のリサイクルシステム。
【請求項６】
上記請求項１ないし３のいずれか１項に記載の複合紙容器のリサイクル方法によって得られた紙繊維を主要素材としたパルプ土壌。
【請求項７】
上記請求項６に記載のパルプ土壌を不織布又はネットに袋詰めしたパルプ基盤と、その上に被せた天然芝とを含む天然芝ブロック。
【請求項８】
上記請求項１ないし３のいずれか１項に記載の複合紙容器のリサイクル方法によって得られた紙繊維を主要素材とした保温保冷剤。
【発明の詳細な説明】
【技術分野】
【０００１】
本発明は、複合紙容器のリサイクル方法及びそのリサイクルシステム並びにパルプ土壌、天然芝ブロック、保温保冷剤に関する。
【背景技術】
【０００２】
乳製品、ジュース、清涼飲料水、流動性食品、酒類等（以下、これらをまとめて「飲料」という。）は、金属カン、ペットボトル、紙容器等の容器に詰めて消費者に販売されている。各容器は次に述べるような長所・短所があり、飲料を詰める各容器はこれらを考慮の上適宜選択されている。
【０００３】
金属カンは、シール密閉性が高いために、常温での飲料の長期保管が可能、容器が頑丈である等の利点がある反面、容器が重い、断面が円形ため保管や運搬する際にスペースロスが生じる等の欠点がある。
ペットボトルは、シール密閉性が高いために、飲料の常温での長期保管が可能、容器が軽量等の利点がある反面、金属カンと同様に断面が円形のため保管や運搬する際にスペースロスが生じる、容器のコストが高い等の欠点がある。
【０００４】
紙容器は、容器が軽量、コストが安い、断面が四角形のため保管や運搬する際にスペースロスが生じない等の利点がある。
飲料を常温で長期保管できるように、また容器が潰れやすいことを防止するために、内側にシール密閉性のあるフィルムを設けた紙容器が工夫されている。そのために近年、金属カン、ペットボトルに比して紙容器の使用量が大幅に増加している。
【０００５】
上記フィルムとしては、樹脂フィルムやアルミ等の金属箔を積層したもの、紙容器の内側に樹脂等をコーティングしたものがある。
本明細書では、紙容器の内側に設けられた次のようなものを「フィルム」として総称する。
ａ樹脂やアルミ等の金属箔を単独もしくは重畳して積層したもの。
ｂ樹脂等をコーティングして形成された薄膜。
ｃ上記ａ及びｂを組み合わせたもの
【０００６】
次に、本明細書では、上記フィルムを内側に備えた紙容器を「複合紙容器」という。また、「複合紙容器」として、カップ状の本体と別体の蓋とからなり本体の内側に上記のフィルムが設けられた紙容器もこれに含まれる。
【０００７】
以上のとおり、複合紙容器は飲料の容器としては最適であるが、資源の有効利用を図るとともに、廃棄物処理に伴う環境への負荷の低減という点では大きな問題がある。
すなわち、金属カン、ペットボトル及び一部の紙容器については回収して資源物として再利用するためのリサイクルの制度が確立しているが、複合紙容器については資源物として回収されることなく、可燃ゴミとともに回収した上で焼却処分されている。
このため、資源のリサイクル、焼却に伴う二酸化炭素の低減、焼却炉への負荷低減等の点が課題となっている。
【０００８】
複合紙容器については、資源化を目的として、例えば有機溶剤を用いて樹脂フィルムを溶融して紙容器からアルミ箔等を分離する技術、超臨界水又は亜臨界水を用いてアルミ箔を溶融させて回収する技術（特許文献１参照）等が提案されているが、コスト高、環境への負荷、装置の大型化等の点で問題がある。
【先行技術文献】
【特許文献】
【０００９】
【特許文献１】特開２００４−３５８４２３号公報
【特許文献２】特開２００５−３３６６２３号公報
【発明の概要】
【発明が解決しようとする課題】
【００１０】
本発明は、複合紙容器について可燃ゴミとして焼却処分することなく、資源物として回収を可能とする複合紙容器のリサイクル方法及びそのリサイクルシステム、並びに複合紙容器のリサイクル方法により得られた紙繊維を活用したパルプ土壌、天然芝ブロック、保温保冷剤を提供することを課題とする。
【課題を解決するための手段】
【００１１】
本発明の課題を解決するための手段は、次のとおりである。
（１）使用済み複合紙容器を回収する段階と、該複合紙容器を粗破砕し洗浄する段階と、粗破砕した複合紙容器に水を加えて解繊し紙繊維とフィルムとに分離する段階と、解繊して得た該紙繊維と該フィルムとをそれぞれ分別して回収する段階とを含む複合紙容器のリサイクル方法。
（２）複合紙容器１００に対して５０以上８０未満の重量比で水を加えて解繊することを特徴とする上記（１）に記載の複合紙容器のリサイクル方法。
（３）上記フィルムは、樹脂フィルム及び金属フィルムを含み、上記紙繊維は古紙パルプ資源として、該樹脂フィルムは化石資源として、及び該金属フィルムは金属資源としてそれぞれ再利用することを特徴とする上記（１）又は（２）に記載の複合紙容器のリサイクル方法。
（４）使用済み複合紙容器を回収する手段と、複合紙容器を粗破砕し洗浄する手段と、粗破砕した複合紙容器と複合紙容器１００に対して５０以上８０未満の重量比の水とを投入し、粗破砕した複合紙容器からフィルムを分離する解繊機と、解繊して得た紙繊維と該フィルムとを分別する分別機と、分別して得た該紙繊維と該フィルムをそれぞれ回収し管理する手段とを備えた複合紙容器のリサイクルシステム。
（５）上記フィルムは、樹脂フィルム及び金属フィルムを含み、上記紙繊維は古紙パルプ資源として、該樹脂フィルムは化石資源として、及び該金属フィルムは金属資源としてそれぞれ再利用することを特徴とする上記（４）に記載の複合紙容器のリサイクルシステム。
（６）上記（１）ないし（３）のいずれかに記載の複合紙容器のリサイクル方法によって得られた紙繊維を主要素材としたパルプ土壌。
（７）上記（６）に記載のパルプ土壌を不織布又はネットに袋詰めしたパルプ基盤と、その上に被せた天然芝とを含む天然芝ブロック。
（８）上記（１）ないし（３）のいずれかに記載の複合紙容器のリサイクル方法によって得られた紙繊維を主要素材とした保温保冷剤。
【発明の効果】
【００１２】
本発明によれば、複合紙容器について可燃ゴミとして焼却処分することなく、資源の回収を可能とする安価かつ簡便な複合紙容器のリサイクル方法及びそのリサイクルシステムが得られる。
また、本発明によれば、複合紙容器のリサイクル方法により得られた紙繊維を用いたパルプ土壌、天然芝ブロック、保温保冷剤が得られる。
【図面の簡単な説明】
【００１３】
【図１】実験に使用したカップ形状の複合紙容器の写真である。
【図２】５４個のカップ形状の複合紙容器を解繊機に投入した際の写真である。
【図３】解繊が終了した際の解繊機内部の写真である。
【図４】解繊機から取り出した１個分のカップ形状の複合紙容器について解繊実験結果を示す写真である。
【図５】天然芝ブロックの一例の写真を示す。
【発明を実施するための形態】
【００１４】
（複合紙容器のリサイクル方法）
本発明に係る複合紙容器のリサイクル方法について、その手順を以下、順次説明する。
（１）飲料を消費して空となった使用済み複合紙容器は、消費者が簡単な洗浄を行った上で、例えば販売店の店頭に置かれた回収箱に投入することにより回収される。
（２）回収された複合紙容器は、粗破砕され洗浄される。
【００１５】
（３）粗破砕され洗浄された複合紙容器に水を加えて解繊することにより、紙繊維とフィルムとに分離する。
加える水の量は、複合紙容器１００に対して５０以上８０未満の重量比であるのが好ましい。
紙繊維とフィルムとに分離する解繊機としては、例えば本発明の発明者の１人が提案した古紙解繊装置（特許文献２参照）が使用可能である。
なお、上記（２）における回収された複合紙容器の粗破砕は、単独の手順として必ずしも必要なものではなく、例えばカップ形状であって内側が樹脂等をコーティングしたようなものの場合には、解繊機の中に入れて解繊と同時にこれを行うこともできる。
【００１６】
（４）解繊機で解繊して得た紙繊維とフィルムは、分別機によりそれぞれ分別して回収される。複合紙容器に樹脂及び金属箔が使用されている場合には、フィルムは、樹脂フィルム及び金属フィルムとして分別して回収される。
（５）紙繊維は古紙パルプ資源として再利用される。また樹脂フィルムは化石資源として、金属フィルムは金属資源としてそれぞれ再利用される。
【００１７】
（解繊実験）
複合紙容器に水を加えて解繊するに当たり、添加する水量を変えて実験した。
解繊実験は、容器の内側にポリエチレンをコーティングしたカップ形状の複合紙容器５４個（２５０ｇ）を４組準備し、各組についてそれぞれ添加水量を７５ｇ、１２５ｇ、１７５ｇ、２００ｇと変えて解繊状態を調べた。解繊の所要時間は１８０秒とした。実験結果を表１に示す。
【表１】
2016093772.tif 000002
【００１８】
表１より、紙コップの解繊化良の範囲は、容器１００に対する水の重量比が５０以上８０未満であることが分かる。容器１００に対する水の重量比が７０前後のときが特に良好であることが分かる。
【００１９】
図１ないし図４に、解繊実験の様子及びその結果の写真を示す。
図１は、解繊実験に使用したカップ形状の複合紙容器の準備段階の写真である。図２は、５４個のカップ形状の複合紙容器を解繊機に投入した際の写真である。複合紙容器の粗破砕は、解繊機の中で解繊と同時に行う。図３は、解繊実験が終了した際の解繊機内部の写真である。
図４は、右列より順に、添加水量をそれぞれ７５ｇ、１２５ｇ、１７５ｇ、２００ｇと変えた際のカップ形状の複合紙容器１個についての解繊実験結果を示す写真である。図４において、各列の上段は取り出した時のフィルムの状態を示し、各列の下段はその展開時の状態を示す。各列の中段は、解繊された紙繊維である。
【００２０】
本発明に係る複合紙容器のリサイクル方法により得られた紙繊維は、種々の用途に活用可能であるが、その際に、新聞、ダンボール、雑誌、機密文書、シュレッダー処理紙等を解繊した紙繊維をこれに混合して使用してもよい。
すなわち、本発明に係る複合紙容器のリサイクル方法により得られた紙繊維を種々の用途に活用する際は、少なくともこれを主要素材としていればよい。
以下に、パルプ土壌、天然芝ブロック及び保温保冷剤とした例を紹介する。
【００２１】
（パルプ土壌）
本発明により得られた紙繊維は、パルプ土壌として活用できる。パルプ土壌を利用することにより、アスファルト、コンクリート、鉄板等の上にも植生が可能となり、建物の屋上緑化にも貢献できる。
また、ＬＥＤ照明、蛍光灯等を利用することで天候と地域に関係なく、パルプ土壌を用いた良質の天然芝が効率よく年間供給できる芝の生産工場、あるいは野菜の生産工場も実現可能となる。
紙繊維に水性接着剤を含ませ、屋内用鑑賞植物の土壌とすることもできる。
【００２２】
（天然芝ブロック）
本発明により得られた紙繊維を脱着可能な連結用具が装着してある不織布又はネットで構成した袋体に詰めてパルプ基盤を構成し、その上に天然芝を被せた、あるいは種を植生した天然芝ブロックとして活用することができる。
図５に、本発明により得られた紙繊維から作製されたパルプ土壌を用いた天然芝ブロックの一例の写真を示す。
不織布又はネットにおける紙繊維の挿入口はチャックで開閉できるようにすることで、天然芝ブロックの紙繊維が目減りした場合、挿入口を開口して紙繊維を補給し水を与えて芝を養生することもできる。
【００２３】
（保温保冷剤）
紙繊維に、さらに水を加えて撹拌し湿式パルプ素材を作り、これを樹脂袋等に封入し冷蔵庫、冷凍庫で冷却又は冷結晶させることにより、保冷剤として使用できる。また適度に温めて保温剤としても使用できる。
【００２４】
以上、本明細書に開示した技術事項は、本発明の理解を容易にするために例示したものであって、本発明はこれに限定されない。
すなわち、本発明は、特許請求の範囲を逸脱しない限り、複合紙容器のリサイクル方法及びそのリサイクルシステムの実施に当たって、適宜の設計変更が可能であることは言うまでもないことである。
【図１】
2016093772.tif 000003
【図２】
2016093772.tif 000004
【図３】
2016093772.tif 000005
【図４】
2016093772.tif 000006
【図５】
2016093772.tif 000007